(57)【要約】【課題】  パイプ同士の間隔が異なる単管バリケードに取り付けることができ、さらに、誘導する向きを変更してもがたつきが生じない標示部材の提供。【解決手段】  一対の板片３，５と、板片３，５同士をスライド可能に連結する連結部材７と、各板片３，５に貼付される反射シート９，１１，５９，６１とを備える。各板片３，５は、同一形状とされる。板片３は、本体部１３と連結部１５とを有し、本体部１３には、取付穴１７が形成されており、この取付穴１７の一部は、矩形状の案内溝１９を介して本体部１３の右側へ開口している。板片３，５の取付穴１７，４５に単管バリケードのパイプがはめ込まれて着脱可能に単管バリケードに取り付けられる。【選択図】      図１
2009174226.tif 000002
【特許請求の範囲】
【請求項１】
一対のスタンドに上下に離間してパイプが保持されてなる単管バリケードに取り付けられる標示部材であって、
複数枚の板片が上下に連結されており、
少なくとも一つの板片の表面には反射シートが設けられ、
上部の板片と下部の板片には、前記パイプに適合する取付穴が形成されており、
この取付穴間の距離を接離方向に、前記板片同士がスライド可能に連結されている
ことを特徴とする標示部材。
【請求項２】
前記複数枚の板片は、同一形状の二枚の板片からなり、互いに重ね合わされて、取付穴間の距離を接離方向にスライド可能に、連結部材により連結される
ことを特徴とする請求項１に記載の標示部材。
【請求項３】
前記板片には、各板片同士が取付穴間の距離を近接する方向へスライドする際に、各板片同士が重なる箇所で、かつ、前記反射シートの近傍に突起が形成されている
ことを特徴とする請求項１または請求項２に記載の標示部材。
【発明の詳細な説明】
【技術分野】
【０００１】
本発明は、工事現場などに設置されるバリケードに取り付けられる標示部材に関するものであり、特に単管バリケードに取り付けられて自動車などを誘導する標示部材に関するものである。
【背景技術】
【０００２】
従来、工事などにより車の通行が規制されている場合、車を誘導するために標示部材が使用されている。従来の標示部材は、単管バリケードのパイプに、矢印などが描かれた看板が単に吊り下げられているだけであったため、道路の進行方向に平行に設置すると、ドライバーが視認し難い場合があった。
そこで、単管バリケードを道路の進行方向に平行に設置しても、ドライバーから視認し易い標示板が下記特許文献１において提案されている。
この特許文献１に開示される標示板は、道路に平行に設置された単管バリケードへ垂直となるように装着でき、ドライバーの視認性が高められている。また、特許文献１に開示される標示板には、上下に貫通穴が形成されており、その一方の穴が長穴とされていることで、パイプ間の距離が異なる単管バリケードに取り付けることができる。
【特許文献１】特許第３７２８９８６号公報
【発明の開示】
【発明が解決しようとする課題】
【０００３】
しかしながら、特許文献１に開示される発明の場合、その図４において、反射シートを張り替えずに誘導する向きを逆にするには、長穴を上側に配置する必要がある。
このように長穴を上側に配置して、単管バリケードのパイプに標示板を取り付けた場合、がたつきが生じてしまい、車の走行による風圧により、標示板が振動して騒音を発生してしまう。
【０００４】
本発明が解決しようとする課題は、パイプ同士の間隔が異なる単管バリケードに取り付けることができ、さらに、誘導する向きを変更してもがたつきが生じない標示部材を提供することにある。
【課題を解決するための手段】
【０００５】
本発明は、前記課題を解決するためになされたものであり、請求項１に記載の発明は、一対のスタンドに上下に離間してパイプが保持されてなる単管バリケードに取り付けられる標示部材であって、複数枚の板片が上下に連結されており、少なくとも一つの板片の表面には反射シートが設けられ、上部の板片と下部の板片には、前記パイプに適合する取付穴が形成されており、この取付穴間の距離を接離方向に、前記板片同士がスライド可能に連結されていることを特徴とする標示部材である。
【０００６】
請求項２に記載の発明は、前記複数枚の板片は、同一形状の二枚の板片からなり、互いに重ね合わされて、取付穴間の距離を接離方向にスライド可能に、連結部材により連結されることを特徴とする請求項１に記載の標示部材である。
【０００７】
さらに、請求項３に記載の発明は、前記板片には、各板片同士が取付穴間の距離を近接する方向へスライドする際に、各板片同士が重なる箇所で、かつ、前記反射シートの近傍に突起が形成されていることを特徴とする請求項１または請求項２に記載の標示部材である。
【発明の効果】
【０００８】
本発明の標示部材によれば、パイプ同士の間隔が異なる単管バリケードに取り付けることができ、さらに、誘導する向きを変更してもがたつきが生じず、標示部材からがたつき音が生ずることも抑制できる。しかも、パイプが通される取付穴がパイプに適合するように形成されていることで、パイプ上を滑り難い。
【発明を実施するための最良の形態】
【０００９】
以下、本発明の標示部材について、図面に基づき詳細に説明する。
図１は、本発明の標示部材の一実施例を示す正面図であり、図２は、図１の標示部材の背面図であり、図３は、図１の標示部材の斜視図である。また、図４は、図１の標示部材の分解斜視図であり、反射シートが貼付されていない状態を示している。
また、図５は、図１の標示部材の使用状態を示す斜視図である。
なお、以下の説明においては、図１に示す状態において、上下左右を定義し、紙面に垂直な方向を前後方向とする。
【００１０】
本実施例の標示部材１は、工事現場などで使用される単管バリケードに着脱可能に取り付けられて使用される。単管バリケードは、通常、図５に示すように、一対のスタンドＳ１，Ｓ２と、２本のパイプＰ１，Ｐ２により構成されている。スタンドＳ１，Ｓ２は、略Ａ字形状とされ、所定間隔離隔して配置される。そして、スタンドＳ１，Ｓ２の上端部同士および下部同士を架け渡すように２本のパイプＰ１，Ｐ２がスタンドＳ１，Ｓ２にそれぞれ固定されて単管バリケードが構成される。
【００１１】
本実施例の標示部材１は、一対の板片３，５と、この板片３，５同士をスライド可能に連結する連結部材７と、各板片３，５に貼付される反射シート９，１１，５９，６１とを主要部に備える。本実施例では、各板片３，５は、上下に配置されて連結され、各板片３，５同士は上下方向にスライド可能とされる。また、本実施例では、各板片３，５は、同一形状とされ、下側の板片５は上側の板片３を水平線で折り返した形状とされる。
以下においては、上側に配置される板片３を中心に説明する。
【００１２】
図１に示すように、板片３は、細長い略平行四辺形状の本体部１３と、この本体部１３の下端部から下方へ延出する矩形板状の連結部１５とを有し、可撓性を有するプラスチックにより一体に形成されている。
図示例では、本体部１３は、上側へ行くに従って右側へ傾斜する略平行四辺形状とされており、連結部１５は、本体部１３の下端部から下方へ屈曲して矩形状に延出して設けられている。
【００１３】
本体部１３の上端部には、左右方向中央部に、円形の取付穴１７が前後方向に貫通して形成されており、この取付穴１７の一部は、矩形状の案内溝１９を介して本体部１３の右側へ開口している。つまり、本体部１３には、取付穴１７の一部と本体部１３の右端辺とを連通する矩形状の案内溝１９が左右方向に沿って形成されている。
換言すれば、本体部１３には、その右端辺から左側へ延出して前後方向に貫通する案内溝１９が形成されており、この案内溝１９の左端部が略円形の取付穴１７に形成されている。
なお、この案内溝１９の上下寸法は、取付穴１７の径より小さく形成されていると共に、単管バリケードのパイプＰ１，Ｐ２の外径より若干小さい寸法とされる。
【００１４】
本体部１３の外周縁には、前後方向へ突出してリブ２１が形成されている。本実施例では、本体部１３の左端辺、上端辺および右端辺に沿って連続して、本体部１３の板面に対して垂直にリブ２１が形成されており、案内溝１９および取付穴１７の端縁にもリブ２１が連続して形成されている。
また、本実施例では、取付穴１７の周囲のリブ２１ａは、他の部分に比べて突出量が大きく形成されている。
【００１５】
取付穴１７は、パイプの外周に適合するように形成されるが、本実施例では、取付穴１７の内周面に、合成ゴムなどの弾性材で形成された滑止め部材２３が取り付けられて取付穴１７がパイプの外周に適合するようにされている。滑止め部材２３は、円環状の一部が切り欠かれた略Ｃ字形状とされ、その切欠部２３ａを案内溝１９へ向けた状態で取付穴１７内に配置されて、取付穴１７の内周面に固定されている。この滑止め部材２３の内径は、単管バリケードのパイプＰ１，Ｐ２の外径に対応している。
【００１６】
本実施例では、本体部１３の一方の面にのみ、反射シート９，１１が貼付される。図示例では、本体部の前面に２枚の反射シート９，１１が、左右に離隔して貼付されている。本実施例では、各反射シート９，１１は、上下方向に細長い平行四辺形状とされ、具体的には、上方へ行くに従って右側へ傾斜する平行四辺形状とされる。また、２枚の反射シート９，１１は大きさが異なっており、右側の反射シート１１は、左側の反射シート９より上下左右寸法が短い。
【００１７】
本実施例では、各反射シート９，１１は、本体部１３に微小に突出して形成された、下方へ開口するコ字形状の突出部２５，２７により囲まれた領域内に貼付される。
具体的には、本体部１３には、手前側へ微小に突出して、下方へ開口するコ字形状の突出部２５，２７が、左右に離隔して２つ形成されており、この突出部２５，２７に囲まれた領域内に反射シート９，１１がそれぞれ貼付されている。なお、本実施例では、このコ字形状の突出部２５，２７の開放両端辺の下端部は、下方へ行くに従って徐々に突出量が小さくなるように傾斜して形成されている。
【００１８】
また、このコ字形状の突出部２５，２７の下側には、それぞれ手前側へ突出して突起２９，２９が形成されている。本実施例では、この突起２９は、上方へ行くに従って本体部１３からの突出量が大きくなるように傾斜して形成されている。
なお、突出部２５，２７および突起２９，２９は、本体部１３の後面にも前面と同様に形成されている。
【００１９】
連結部１５には、上下方向に長い長方形状の貫通穴３３が形成されている。本実施例では、連結部１５に、３個の貫通穴３３が左右等間隔に離隔して形成されている。
【００２０】
下側の板片５は、上述したように、上側の板片３と同一形状であり、上側の板片を水平線で折り返した形状とされ、本体部４１と連結部４３を有し、本体部４１には取付穴４５、案内溝４７、突出部４９，５１および突起５３，５３が形成されている。また、連結部４３には、貫通穴５７が３個形成されている。さらに、本体部４１には上側の板片３と同様に反射シート５９，６１が２枚貼付されており、取付穴４５には滑止め部材６３が取り付けられている。
【００２１】
各板片３，５は、連結部１５，４３同士が前後に重ね合わされて連結される。本実施例では、連結部材７を介して板片３，５同士がスライド可能に連結される。
連結部材７は、矩形板状の板部７１と、この板部７１に立設される一対の板状の脚部７３，７３とを有し、可撓性を有するプラスチックにより一体に形成されている。
【００２２】
脚部７３，７３は、左右に離隔して板部７１に立設されており、その先端部７３ａは、左右方向外側へ突出して略三角形状に形成されている。
脚部７３，７３同士の間隔は、連結部１５，４３の貫通穴３３，５７の左右寸法とほぼ同じ寸法か若干短い寸法とされる。なお、脚部７３の先端部７３ａ同士は、近接および離隔可能とされる。
【００２３】
各板片３，５は、連結部１５，４３同士が重ね合わされて、その貫通穴３３，５７同士が連通した状態で、連結部材７の脚部７３，７３が連結部１５，４３の貫通穴３３，５７にはめ込まれて連結される。
【００２４】
各板片３，５の貫通穴３３，５７に連結部材７がはめ込まれた状態では、各板片３，５の連結部１５，４３同士は、連結部材７の板部７１と脚部７３の先端部７３ａとに挟まれることで押圧されて当接しており、板片３，５同士は、上下方向にスライド可能とされると共に、所望位置で位置決め可能とされる。
【００２５】
本実施例では、板片３，５の連結部１５，４３の３つの貫通穴３３，５７にそれぞれ連結部材７が取り付けられており、左端および中央の連結部材７の板部７１にはそれぞれ矩形状の反射シート７５が貼付されている。
【００２６】
このような構成の本実施例の標示部材１は、図１に示すように、一対の板片３，５および各板片３，５に貼付された反射シート９，１１，５９，６１，７５により、略「く」の字形の左側を指し示す矢印が構成される。
また、本実施例の標示部材１は、板片３，５同士がスライド可能とされ、全体が伸縮することで各板片３，５の取付穴１７，４５の離隔距離を変更することができる。
つまり、本実施例の標示部材１は、板片３，５同士が、取付穴１７，４５の距離を近接または離間する接離方向にスライド可能とされる。
【００２７】
図６は、図１の標示部材を側面から見た拡大縦断面図の一部であり、図７は、図６の状態から短縮させた状態を示している。
さらに、本実施例の標示部材１は、図６に示すように、全体が伸長した状態から板片３，５同士をスライドさせて短縮させると、図７に示すように、一方の板片３（５）が他方の板片５（３）の突起２９，５３に乗り上げる。これにより、一方の板片３（５）が他方の板片５（３）の反射シート９，１１，５９，６１をめくり上げることがなく、反射シート９，１１，５９，６１がはがれるおそれがない。
【００２８】
このような構成の本実施例の標示部材１が、単管バリケードに取り付けられて使用される場合、各板片３，５をスライドさせて、取付穴１７，４５同士の離隔距離を、単管バリケードのパイプＰ１，Ｐ２の離隔距離と同じにする。
そして、各板片３，５の案内溝１９，４７から取付穴１７，４５内へそれぞれパイプＰ１，Ｐ２をはめ込む。本実施例では、取付穴１７，４５に滑止め部材２３，６３が設けられていることで、滑止め部材２３，６３がパイプＰ１，Ｐ２を把持し、がたつくことなく単管バリケードに取り付けられる。
なお、本実施例では、案内溝１９，４７の上下寸法が、パイプＰ１，Ｐ２の外径より若干小さいが、板片３，５が可撓性を有していることで、案内溝１９，４７の部分をひねりながらパイプＰ１，Ｐ２を取付穴１７，４５内へ押し込むことができる。
このように、各板片３，５の取付穴１７，４５にパイプＰ１，Ｐ２が配置されて本実施例の標示部材１が単管バリケードに取り付けられる。なお、図５では、本実施例の標示部材１が、一つの単管バリケードに３個取り付けられており、車などを左側へ誘導する。
【００２９】
本実施例では、板片３，５同士がスライド可能に設けられており、各板片３，５の取付穴１７，４５の離隔距離が変更可能とされていることで、単管バリケードのパイプＰ１，Ｐ２同士の離間距離が変わったとしても取り付け可能とされる。また、本実施例では、上側の板片３と、下側の板片５とは同一形状とされることで、同じ金型で形成することができる。
【００３０】
さらに、本実施例では、図５の状態から、誘導する方向を右側へ変更する場合、図８に示すように、標示部材１の上下を逆にして単管バリケードに取り付けるだけでよい。つまり、板片５を上側に配置して単管バリケードに取り付けるだけでよい。
この際、各板片３，５の取付穴１７，４５に設けられた滑止め部材２３，６３がパイプＰ１，Ｐ２を把持することで、標示部材はがたつくことがない。
【００３１】
上記実施例における標示部材は、２枚の板片から構成されたが、３枚以上の板片から構成することも可能である。
図９は、本発明の標示部材の変形例を示す正面図である。
【００３２】
図９に示すように、本変形例の標示部材は、３枚の板片から構成されている。
具体的には、本変形例の標示部材は、上板片１０１と、中央板片１０３と、下板片１０５の３枚の板片を有し、上板片１０１と中央板片１０３同士、および中央板片１０３と下板片１０５同士とがそれぞれ上下方向に沿ってスライド可能に連結されている。
本変形例の上板片１０１と下板片１０５は、上記実施例の板片３，５と同様の形状である。また、上板片１０１と下板片１０５には、上記実施例と同様に、反射シート１０７，１０９,１１１,１１３が貼付されている。なお、本変形例では、上板片１０１と下板片１０５の各連結部１１５,１１７に、二つの貫通穴１１９,１２１がそれぞれ左右に離間して形成されている。
【００３３】
中央板片１０３は、略矩形状とされ、その上端部および下端部にそれぞれ左右に離間して、上下に細長い貫通穴１２３が２個ずつ形成されている。
そして、上板片１０１の連結部１１５と中央板片１０３の上端部の各貫通穴１１９,１１２３に上記実施例と同様の連結部材１２５がはめ込まれて、上板片１０１と中央板片１０３とがスライド可能に連結される。また、中央板片１０３と下板片１０５も同様に、連結部材１２５によりスライド可能に連結される。
【００３４】
このような構成の本変形例の標示部材は、上板片１０１と下板片１０５とが、各取付穴１２７,１２９の距離が近接または離間する接離方向にスライド可能とされる。
また、本変形例では、中央板片１０３に反射シートを貼付する充分なスペースを確保することができ、図示例では、長方形状の反射シート１３１が左右に離間して２枚貼付されている。また、本変形例においても、上記実施例と同様に、各連結部材１２５に反射シート１３３が貼付されている。
【００３５】
その他、本発明の標示部材は、上記実施例の構成に限らず、適宜変更可能である。
たとえば、反射シートの枚数や形状などは特に限定されるものではなく、適宜変更可能である。また、各板片の形状も適宜変更可能である。
【図面の簡単な説明】
【００３６】
【図１】本発明の標示部材の一実施例を示す正面図である。
【図２】図１の標示部材の背面図である。
【図３】図１の標示部材の斜視図である。
【図４】図１の標示部材の分解斜視図であり、反射シートが貼付されていない状態を示している。
【図５】図１の標示部材の使用状態を示す斜視図である。
【図６】図１の標示部材を側面から見た拡大縦断面図の一部である。
【図７】図６の状態から短縮させた状態を示す図である。
【図８】図５に示す状態から、標示部材の向きを変更した状態を示す図である。
【図９】本発明の標示部材の変形例を示す正面図である。
【符号の説明】
【００３７】
１  標示部材
３  板片
５  板片
７  連結部材
９，１１  反射シート
１７  取付穴
２９  突起
【図１】
2009174226.tif 000003
【図２】
2009174226.tif 000004
【図３】
2009174226.tif 000005
【図４】
2009174226.tif 000006
【図５】
2009174226.tif 000007
【図６】
2009174226.tif 000008
【図７】
2009174226.tif 000009
【図８】
2009174226.tif 000010
【図９】
2009174226.tif 000011